(57)【特許請求の範囲】
【請求項１】
浴槽内の湯を熱交換器を介して循環加熱する浴槽循環系と、該浴槽循環系から分岐して設けられ、放熱器内の湯を前記熱交換器を介して循環加熱する放熱器循環系と、前記浴槽循環系と前記放熱器循環系の分岐部及び合流部に設けられた第１切替弁及び第２切替弁と、前記放熱器循環系に備えられた膨張タンクと前記第２切替弁を連結する流路に設けられた逆止弁とを備えた給湯器において、
前記第１切替弁又は前記第２切替弁が故障しているか否かを判断する故障判断手段と、
前記故障判断手段により前記第１切替弁が故障したと判断された場合には、前記第２切替弁を放熱器循環側で強制待機させる放熱器側強制待機手段と、
前記故障判断手段により前記第２切替弁が故障したと判断された場合には、前記第１切替弁を浴槽循環側で強制待機させる浴槽側強制待機手段とを備えていることを特徴とする給湯器。
【請求項２】
前記故障判断手段は、前記第１切替弁又は前記第２切替弁のいずれか一方が、切替動作開始後、所定時間が経過しても目的位置のリミットスイッチがＯＮとならない場合には、故障したと判断するものであることを特徴とする請求項１に記載される給湯器。
【請求項３】
前記故障判断手段は、前記第１切替弁又は前記第２切替弁のいずれか一方に設けられている浴槽循環側リミットスイッチ及び放熱器循環側リミットスイッチの双方が同時にＯＮとなった場合には、故障したと判断するものであることを特徴とする請求項１又は２に記載される給湯器。
【発明の詳細な説明】
【０００１】
【発明の属する技術分野】
本発明は、熱交換器で加熱された湯を、複数の切替弁を用いて浴槽循環系又は放熱器循環系のいずれか一方に切り替えて循環させることができる給湯器に関し、さらに詳しくは、いずれか一方の切替弁が故障した場合であっても、浴槽から放熱器への湯の流れ込みを起こさないようにした給湯器に関する。
【０００２】
【従来の技術】
従来、給湯器としては、給水管に導入された水を熱交換器内に導き、ガスバーナにより加熱して出湯管から排出する一般給湯系の他に、浴槽内の湯水を循環加熱する浴槽循環系を備えた給湯器（いわゆる、給湯器付き風呂釜）が知られている。さらに、前記熱交換器で加熱された湯を放熱器に導き、放熱器から放出される熱を用いて浴室を乾燥室として利用したり、室内の暖房に利用する放熱器循環系を備えた給湯器も知られている。
【０００３】
このような浴槽循環系と放熱器循環系とを備えた給湯器においては、熱交換器を双方の循環系で共有し、各循環路の分岐部及び合流部に切替弁を設けるのが一般的である。図６（ａ）は、このような給湯器に備えられている浴槽循環系と放熱器循環系の概略構成図を示したものである。図６（ａ）において、浴槽循環系３は、浴槽４６が、往き管４０と戻り管４２とを介して第２熱交換器４４に連結されたものである。
【０００４】
また、放熱器循環系５は、放熱器９６が、放熱器入水管８２及び放熱器出水管８４を介して、それぞれ、戻り管４２及び往き管４０に連結されたものであり、放熱器入水管８２と戻り管４２の分岐部、及び放熱器出水管８４と往き管４０の合流部には、それぞれ、第１切替弁８６及び第２切替弁８８が設けられている。
【０００５】
また、放熱器出水管８４には、容量０．５リットル程度の膨張タンク８０が設けられ、放熱器及び配管内を循環する湯の膨張収縮を吸収できるようになっている。さらに、膨張タンク８０と第２切替弁８８の間には、逆止弁９８が設けられ、往き管４０から放熱器出水管８４への湯の逆流を防止できるようになっている。
【０００６】
この種の給湯器において、切替弁８６、８８を切り替える場合には、図６（ａ）に示すように、切替弁８６、８８は、平常時には浴槽循環側で待機させ、放熱器循環系内に湯を循環させる時にのみ、放熱器循環側に切り替えるような制御が行われる。
【０００７】
また、切替弁の一方が故障した場合、例えば、図６（ｂ）に示すように第１切替弁８６が故障した場合には、図６（ｃ）に示すように、故障していない他方の切替弁（第２切替弁８８）を強制的に待機位置、すなわち浴槽循環側、に切り替えて待機させるような制御が行われている。
【０００８】
【発明が解決しようとする課題】
図６に示すような構成及び制御方法を採用した場合、第２切替弁８８が故障した時には、第１切替弁８６は、浴槽循環側で強制待機させられることになる。そのため、図示はしないが、第２切替弁８８が放熱器循環側に連通した状態で停止した場合には、戻り管４２、第２熱交換器４４、戻り管４０及び放熱器出水管８４が連通することとなるが、放熱器出水管８４には逆止弁９８が設けられているため、浴槽４６内の湯が膨張タンク８０に逆流することはない。
【０００９】
しかしながら、第１切替弁８６が故障した時には、第２切替弁８８は、浴槽循環側で強制待機させられるため、第１切替弁８６が放熱器循環側に連通した状態で停止した場合には、図６（ｃ）に示すように、往き管４０、第２熱交換器４４、往き管４２及び放熱器入水管８２が連通することになる。
【００１０】
そのため、浴槽４６内の湯の水位が、膨張タンク８０内の湯の水位より低い場合には、浴槽４６内の湯が膨張タンク８０に逆流するおそれはないが、浴槽４６を２階に設置した場合等、浴槽４６内の湯の水位が、膨張タンク８０内の湯の水位より高くなる場合には、浴槽４６内の湯が連通した経路を通って、膨張タンク８０内に流れ込み、膨張タンク８０から湯があふれ出すという問題があった。
【００１１】
本発明が解決しようとする課題は、浴槽循環系及び放熱器循環系を備えた給湯器において、循環系路を切り替えるための複数の切替弁のいずれか一方が故障した場合であっても、浴槽から放熱器循環系側へ湯が流れ込むことのない給湯器を提供することにある。
【００１２】
【課題を解決するための手段】
上記課題を解決するために、本発明に係る給湯器は、浴槽内の湯を熱交換器を介して循環加熱する浴槽循環系と、該浴槽循環系から分岐して設けられ、放熱器内の湯を前記熱交換器を介して循環加熱する放熱器循環系と、前記浴槽循環系と前記放熱器循環系の分岐部及び合流部に設けられた第１切替弁及び第２切替弁と、前記放熱器循環系に備えられた膨張タンクと前記第２切替弁を連結する流路に設けられた逆止弁とを備えた給湯器において、前記第１切替弁又は前記第２切替弁が故障しているか否かを判断する故障判断手段と、前記故障判断手段により前記第１切替弁が故障したと判断された場合には、前記第２切替弁を放熱器循環側で強制待機させる放熱器側強制待機手段と、前記故障判断手段により前記第２切替弁が故障したと判断された場合には、前記第１切替弁を浴槽循環側で強制待機させる浴槽側強制待機手段とを備えていることを要旨とするものである。
【００１３】
上記構成を有する本発明に係る給湯器によれば、循環経路を浴槽循環系又は放熱器循環系のいずれかに切り替える際には、第１切替弁及び第２切替弁を起動させると共に、第１切替弁及び第２切替弁が故障しているか否かが故障判断手段により判断される。そして、該故障判断手段により、切替動作中に第１切替弁が故障したと判断された場合には、放熱器側強制待機手段により、第２切替弁が放熱器循環側で強制待機させられる。
【００１４】
そのため、第１切替弁が浴槽循環側に連通した状態で停止した場合には、浴槽と連通する流路は、膨張タンクと第２切替弁とを連結する流路に設けられた逆止弁の出口側に導かれ、該逆止弁により湯の逆流が阻止される。また、第１切替弁が放熱器循環側で停止した場合には、放熱器循環系は、閉ループを形成し、浴槽循環系と完全に遮断される。これにより、第１切替弁が故障した場合であっても、浴槽から膨張タンクへの湯の流れ込みを回避することが可能となる。
【００１５】
一方、前記故障判断手段により第２切替弁が故障したと判断された場合には、浴槽側強制待機手段により、第１切替弁が浴槽循環側で強制待機させられる。そのため、第２切替弁が放熱器循環側に連通した状態で停止した場合には、浴槽と連通する流路は、膨張タンクと前記第２切替弁を連結する流路に設けられた逆止弁の出口側に導かれ、該逆止弁により湯の逆流が阻止される。また、第２切替弁が浴槽循環側で停止した場合には、浴槽循環系は、閉ループを形成し、放熱器循環系と完全に遮断される。これにより、第２切替弁が故障した場合であっても、浴槽から膨張タンクへの湯の流れ込みを回避することが可能となる。
【００１６】
ここで、前記故障判断手段は、前記第１切替弁又は前記第２切替弁のいずれか一方が、切替動作開始後、所定時間が経過しても目的位置のリミットスイッチがＯＮとならない場合には、故障したと判断するものであることが望ましい。これにより、切替弁が切替動作途中に停止した場合、及びリミットスイッチが故障した場合の双方を速やかに検知できるからである。
【００１７】
また、前記故障判断手段は、前記第１切替弁又は前記第２切替弁のいずれか一方に設けられている浴槽循環側リミットスイッチ及び放熱器循環側リミットスイッチの双方が同時にＯＮとなった場合には、故障したと判断するものであっても良い。これにより、リミットスイッチの故障を速やかに検知できるからである。
【００１８】
なお、放熱器循環系に用いられる放熱器は、浴室乾燥運転用の放熱器、あるいは、暖房用の放熱器等に特に限定されるものではなく、本発明は、循環経路の一部を共有する複数の循環系を有するあらゆる給湯器に適用可能なものである。
【００１９】
【発明の実施の形態】
以下、本発明の好適な一実施の形態を図面を参照して説明する。図１は、本発明が適用される給湯器の典型例を示したものである。この図示される給湯器１は、一般給湯系２と、浴槽循環系３と、浴槽給湯系４と、放熱器循環系５とを備えている。
【００２０】
一般給湯系２は、給水管１０と出湯管１２と第１熱交換器１４とを備え、給水管１０及び出湯管１２は、第１熱交換器１４の入口及び出口にそれぞれ連結されている。給水管１０の入口付近には、給水管１０に流入する水の総量を規制するための水絞り弁１６が設けられている。該水絞り弁１６には、水絞り弁モータ（図示せず）が連繋され、該水絞り弁モータにより水絞り弁１６の開度が可変制御できるようになっている。
【００２１】
また、給水管１０には、給水管１０へ流入する水の温度を計測するための給湯入水温度サーミスタ１８と、給水管１０に流入する水の流量を計測するための入水流量センサ２０が設けられている。
【００２２】
出湯管１２には、第１熱交換器１４の出口付近に、該第１熱交換器１４から排出される湯の温度を計測するための給湯出湯温度サーミスタ２２が設けられ、さらに、出湯管１２の先端には、第１熱交換器１４により加熱された湯を排出するための水栓２４が設けられている。なお、図１において、水栓２４は、１つのみ図示されているが、これは例示であり、通常は台所、洗面所、シャワー等、複数の水栓２４が設けられている。
【００２３】
その他、一般給湯系２は、前記第１熱交換器１４の下方部位に配置された該第１熱交換器１４内を流れる水を加熱するためのガスバーナ２６と、前記ガスバーナのガス管２８に設けられた、元電磁弁３０、メイン電磁弁３２及び該ガス管２８を流れるガスの流量を制御するガス比例弁３４と、さらに前記ガスバーナに燃焼用空気を供給するための送風ファン３６とを備えている。
【００２４】
浴槽循環系３は、往き管４０と戻り管４２と第２熱交換器４４と浴槽４６とを備え、往き管４０及び戻り管４２は、その一端が第２熱交換器４４の入口及び出口にそれぞれ連結され、その他端が浴槽４６に連結されているものである。
【００２５】
往き管４０には、浴槽４６から往き管４０に流入する湯の温度を計測するための風呂出口温度サーミスタ４８が設けられ、さらにその下流側位置には、浴槽４６又は後述する放熱器９６内の湯を循環させるための循環用ポンプ５０が設けられ、さらにその下流側には、往き管４０内を湯が流れているか否かを検知するための水流スイッチ５２が設けられている。又、戻り管４２には、第２熱交換器４４内で加熱された湯の温度を計測するための循環出湯温度サーミスタ５４が設けられている。
【００２６】
その他、浴槽循環系３は、前記第２熱交換器４４の下方部位に配置された該第２熱交換器４４内を流れる水を加熱するためのガスバーナ５６と、前記ガスバーナのガス管５８に設けられたメイン電磁弁６２及び該ガス管５８を流れるガスの流量を制御するガス比例弁６４と、さらに前記ガスバーナに燃焼用空気を供給するための送風ファン６６とを備えている。なお、ガス管５８は、元電磁弁３０の下流側においてガス管２８と連結され、元電磁弁３０を共有する形になっている。
【００２７】
浴槽給湯系４は、一般給湯系２と浴槽循環系３とを接続管７０を介して連結したものであり、給水管１０、第１熱交換器１４、出湯管１２、接続管７０、及び往き管４０により構成されている。
【００２８】
さらに詳しくは、接続管７０の一端は、一般給湯系２に備えられた出湯管１２と給湯出湯温度サーミスタ２２よりも下流側の位置において連結され、接続管７０の他端は、浴槽循環系３に備えられた往き管４０と循環用ポンプ５０の上流側の位置において連結されている。また、接続管７０には、浴槽４６又は放熱器９６に流入する湯の流量を計測する給湯流量センサ７２及び、接続管７０を開閉するための給湯弁７４が設けられている。
【００２９】
放熱器循環系５は、浴室を乾燥室として利用するためのものであり、膨張タンク８０と、放熱器入水管８２と、放熱器出水管８４と、放熱器９６と、逆止弁９８とを備えている。放熱器９６の入口側と戻り管４２とは、放熱器入水管８２により連結されており、放熱器入水管８２と戻り管４２との分岐部には、第２熱交換器４４で加熱された湯を、戻り管４２から浴槽４６内又は放熱器９６内のいずれかに切替排出させるための第１切替弁８６が配設されている。
【００３０】
放熱器９６の出口側と往き管４０とは、放熱器出水管８４により連結されていると共に、放熱器出水管８４には、膨張タンク８０が設けられ、さらに、膨張タンク８０の上流側には、逆止弁９８がそれぞれ設けられている。また、放熱器出水管８４と往き管４０との合流部には、浴槽４６内又は膨張タンク８０内の湯のいずれかを往き管４０に切替流入させるための第２切替弁８８が配設されている。
【００３１】
さらに、膨張タンク８０内には、膨張タンク８０内の水位が下限値以下になったか否かを検出するための水位低側フロートスイッチ９０と、膨張タンク８０内の水位が上限値以上になったか否かを検出するための水位高側フロートスイッチ９２が設けられている。
【００３２】
さらに、図１に示す給湯器１は、給湯入水温度サーミスタ１８、入水流量センサ２０、給湯出湯温度サーミスタ２２、風呂出口温度サーミスタ４８、水流スイッチ５２、循環出湯温度サーミスタ５４、及び給湯流量センサ７２から信号を受け、元電磁弁３０、メイン電磁弁３２、６２、ガス比例弁３４、６４及び送風ファン３６、６６を制御するバーナコントローラ（図示せず）を有している。
【００３３】
バーナコントローラは、公知のＣＰＵ、ＲＯＭ、ＲＡＭ等により構成され、そのＲＯＭには、出湯温度制御等を行うための種々のプログラム類が格納されているものである。また、この給湯器１は、リモコン操作ができるよう、台所等の水栓２４が設置されている場所や浴室内部には、リモコン（図示せず）が設けられ、そのリモコンには、電源スイッチ、自動給湯スイッチ、追焚スイッチ、設定温度入力装置等が設けられているものである。
【００３４】
次に、このように構成された給湯器１を用いて、一般給湯系２による一般給湯を行う場合の基本的な使用動作について説明する。まず、リモコン操作により設定温度を入力して水栓２４を開くと、給水管１０内に水絞り弁１６を介して水が流入し、流入した水は、第１熱交換器１４及び出湯管１２を通って水栓２４から排出される。
【００３５】
この時、入水流量センサ２０が給水管１０内の水流を感知すると、バーナーコントローラ（図示せず）から指令が送られ、送風ファン３６が駆動し、第１熱交換器１４を加熱するためのガスバーナ２６へ燃焼用空気が供給されるとともに、元電磁弁３０並びにガスバーナ２６のメイン電磁弁３２及びガス比例弁３４が順次開かれて、燃焼ガスがガスバーナ２６に供給され、イグナイタ（図示せず）による点火動作によってガスバーナ２６が点火される。
【００３６】
ガスバーナ２６が点火された当初は、給湯入水温度サーミスタ１８で検知される給水管１０を流れる水の温度と、入水流量センサ２０で検知される単位時間当たりの流量に基づき、フィードフォワード制御により、給湯出湯温度サーミスタ２２で検知される出湯温度が設定温度となるように、ガスバーナ２６のガス比例弁３４の開度が調整されることにより、ガスバーナ２６の燃焼制御が行われる。
【００３７】
そして、ガスバーナ２６の燃焼が安定状態になった後は、給湯出湯温度サーミスタ２２で検出される出湯温度に基づき、フィードバック制御により補正して、出湯温度が設定温度に維持されるように、バーナコントローラにより、ガス比例弁３４の比例弁電流回路（図示せず）と送風ファン駆動回路（図示せず）に信号が送られ、ガス比例弁３４の開度と送風ファン３６のファン回転数を比例制御することにより、ガスバーナ２６の燃焼制御が行なわれるものである。
【００３８】
次に浴槽給湯系４による浴槽給湯を行う場合の基本的な使用動作について説明する。浴室に取り付けられたリモコン（図示せず）の自動給湯スイッチを押すと、接続管７０に設けられた給湯弁７４が開かれる。
【００３９】
給湯弁７４が開かれると、一般給湯系２内に水が流れ、第１熱交換器１４を通って出湯管１２に排出された水が、接続管７０を介して往き管４０内に流れ込む。第２切替弁８８は、通常、浴槽循環側となっているので、往き管４０に流入した水は、そのまま浴槽４６内に排出される。
【００４０】
この時、一般給湯の場合と同様、入水流量センサ２０が給水管１０内の水の流れを検知すると、給湯出湯温度サーミスタ２２で検知される出湯温度が設定温度となるように、一般給湯系２に設けられたガスバーナ２６の点火及び燃焼制御が行われる。そして、浴槽４６内に排出された湯の総量は、接続管７０に設けた給湯流量センサ７２により計測され、流量の積算値が設定量に達したところで、給湯弁７４が閉じられ、浴槽給湯が終了する。
【００４１】
次に、浴槽循環系３による追焚を行う場合の基本的な使用動作について説明する。浴室に取り付けられたリモコン（図示せず）の追焚スイッチを押すと、循環用ポンプ５０が作動する。第１切替弁８６及び第２切替弁８８は、通常、浴槽循環側となっているので、循環用ポンプ５０が作動すると、浴槽４６内の湯が往き管４０を通って第２熱交換器４４内へ送られ、第２熱交換器４４から排出された湯が、戻り管４２を通って浴槽４６内に戻される。
【００４２】
この時、水流スイッチ５２が往き管４０内の水流を感知すると、バーナーコントローラ（図示せず）から指令が送られ、送風ファン６６が駆動し、第２熱交換器４４を加熱するためのガスバーナ５６へ燃焼用空気が供給されるとともに、元電磁弁３０並びにガスバーナ５６のメイン電磁弁６２及びガス比例弁６４が順次開かれて、燃焼ガスがガスバーナ５６に供給され、イグナイタ（図示せず）による点火動作によってガスバーナ５６が点火される。
【００４３】
ガスバーナ５６が点火された後は、ガスバーナ５６のガス比例弁６４の開度と送風ファン６６の回転数とが最大能力となるように固定され、その状態でガスバーナ５６の燃焼が行われる。また、バーナコントローラから循環用ポンプ５０の位相制御回路（図示せず）に信号が送られ、循環出湯温度サーミスタ５４で検出される出湯温度が所定の温度範囲に維持されるように、循環用ポンプ５０の能力が可変制御される。そして、風呂出口温度サーミスタ４８で検出される浴槽温度が設定温度に達したところで、元電磁弁３０及びメイン電磁弁６２を閉じて、ガスバーナ５６の燃焼を終了させる。
【００４４】
なお、浴槽循環系３は、追焚スイッチにより起動する他、浴槽給湯系４による自動給湯を行った場合において、流量センサー等により、所定量の湯が浴槽４６内に給湯されたことを検知した時に浴槽給湯を終了すると共に、一定時間間隔（例えば、１０分）毎に浴槽循環系３を自動的に作動させてもよい。このように構成することにより、浴槽４６内の湯を常に一定の温度に保持できるからである。
【００４５】
次に、放熱器循環系５による浴室乾燥運転を行う場合の基本的な使用動作について説明する。まず、浴室に設けられたリモコン（図示せず）の乾燥運転スイッチを押すと、第１切替弁８６及び第２切替弁８８が作動し、循環回路が放熱器循環側に切り替わる。
【００４６】
次いで、循環用ポンプ５０が作動し、放熱器９６内の湯が、膨張タンク８０、放熱器出水管８４及び往き管４０を通って第２熱交換器４４へ送られ、そこで加熱された湯が、戻り管４２、放熱器入水管８２を順次通って、放熱器９６に戻される。
【００４７】
この時、追焚加熱の場合と同様、水流スイッチ５２が往き管４０内の水の流れを検知すると、浴槽循環系３に設けられたガスバーナ５６の点火が行われる。ガスバーナ５６が点火された後は、循環出湯温度サーミスタ５４で検知される温度が所定の温度となるように、ガスバーナ５６のガス比例弁６４の開度をフィードバック制御して、ガスバーナ５６の燃焼制御が行われる。
【００４８】
ここで、乾燥運転中に膨張タンク８０内の水が少なくなり、水位低側フロートスイッチ９０がＯＦＦになった場合には、水絞り弁１６の開度調整が行われた後に給湯弁７４が開かれ、給水管１０から第１熱交換器１４内を通った水が出湯管１２及び接続管７０を通って往き管４０内に補給される。この場合、膨張タンク８０の容量が少ない（０．５リットル程度）ので、第１熱交換器１４に設けられたガスバーナには点火されず、そのまま水が注水される。
【００４９】
往き管４０に補給された水は、そのまま放熱器循環系５を循環し続けるので、膨張タンク８０内の水位は次第に上昇し、まず、水位低側フロートスイッチ９０がＯＮとなる。さらに、水を補給し続けると、水位高側フロートスイッチ９２がＯＮとなるので、この時点で給湯弁７４を閉じ、放熱器９６への水の補給を停止する。そして、この状態で、乾燥運転が続行されると共に、再度、乾燥運転中に水位低側フロートスイッチ９０がＯＦＦになった場合には、給湯弁７４を開いて、水の補給が行われる。
【００５０】
そして、乾燥運転を終了させる時には、浴室に設けられたリモコン（図示せず）の乾燥運転スイッチを再度押せばよく、これにより、元電磁弁３０及びメイン電磁弁６２が閉じられ、ガスバーナ５６の燃焼を停止させると共に、第１切替弁８６及び第２切替弁８８が浴槽循環側に切り替えられ、その状態で待機するものである。
【００５１】
次に、本発明に係る切替弁８６、８８の制御方法について説明する。図２は、本発明に係る給湯器の切替弁として用いられる３方向ボールバルブの動作を説明するための模式図である。３方向ボールバルブは、安価であること、循環経路が切り替わったか否かの位置検出が容易であること、いずれの循環経路にも接続されない閉状態を容易に作ることができること等の理由から、このような給湯器の切替弁としてしばし用いられるものである。
【００５２】
図２に示す３方向ボールバルブは、０゜〜１８０゜の切替動作を行うものであり、ボールが０゜の位置にある場合には、循環経路は浴槽循環側に切り替えられた状態にあり、１８０゜の位置にある場合には、放熱器循環側に切り替えられた状態にある。また、バルブの切替は、ボールが０゜の位置から１８０゜の位置へ、あるいはその逆方向に回転することにより行われるものである。
【００５３】
さらに、３方向ボールバルブは、切り替わりの途中において、ボールが０゜〜６０゜間にある場合は、循環経路は浴槽循環側と連通し、６０゜〜１２０゜間にある場合は、いずれの循環経路とも連通していない閉状態にあり、１２０゜〜１８０゜間にある場合は、循環経路は放熱器循環側と連通している状態にある。従って、ボールが０゜又は１８０゜以外の位置で故障により停止した場合には、バルブは、浴槽循環側又は放熱器循環側のいずれかに連通している可能性がある。
【００５４】
また、３方向ボールバルブの位置検出は、０゜と１８０゜の２カ所に配置されているリミットスイッチを読み取ることにより行われる。すなわち、０゜の位置及び１８０゜の位置には、それぞれ、浴槽側リミットスイッチＢ及び放熱器循環側リミットスイッチＫが配置され、ボールが０゜又は１８０゜の位置にきた時点でリミットスイッチＢ又はＫがＯＮするようになっている。
【００５５】
なお、ボールが０゜の位置から１８０゜の位置へ、あるいはその逆方向に動くために要する動作時間は、ボールバルブの性能により異なるものであり、給湯器の仕様に応じて、適宜最適な動作時間を有するバルブを用いれば良い。本発明の場合には、動作時間が４．６±２秒である３方向ボールバルブを用いている。
【００５６】
図３は、第１切替弁８６及び第２切替弁８８として３方向ボールバルブを用い、循環経路を浴槽循環側から放熱器循環側に切り替える際に、第１切替弁８６が故障した場合における第２切替弁８８の制御方法を示した図であり、図４は、同様に、第２切替弁８８が故障した場合における第１切替弁８６の制御方法を示した図である。なお、図３及び図４中で使用した符号は、図１で用いた符号と同一のものである。
【００５７】
図３（ａ）において、第１切替弁８６及び第２切替弁８８は、待機状態にあり、いずれも、浴槽循環側にある。この状態から、浴室に備えられたリモコンの乾燥スイッチをＯＮすると、バーナコントローラは、第１切替弁８６及び第２切替弁８８に対し、放熱器循環側に切り替わるよう信号を送る。
【００５８】
次いで、バーナコントローラでは、切替指令を発した後、所定時間（以下、「故障判定時間」という）内に、第１切替弁８６及び第２切替弁８８双方の放熱器循環側リミットスイッチＫがＯＮするか否かを監視する。この時、図３（ｂ）に示すように、第１切替弁８６が故障して、途中で止まった場合には、故障判定時間内に第１切替弁８６側の放熱器循環側リミットスイッチＫがＯＮしないので、その旨の信号がバーナコントローラに送られ、第１切替弁８６が故障したと判断される。
【００５９】
そして、第１切替弁８６が故障したと判断された場合には、図３（ｃ）に示すように、バーナコントローラから第２切替弁８８に対して、放熱器循環側で待機するように指令が送られ、第２切替弁８８は、故障リセット操作後、新たに切替指示が発生するまで、放熱器循環側で強制待機させられる。
【００６０】
これにより、第１切替弁８６が放熱器循環側と連通した状態で故障した場合には、放熱器循環系５は、閉ループを形成するので、浴槽４６から膨張タンク８０への湯の流れ込みは生じない。また、第１切替弁８６が閉状態の位置で故障した場合も、浴槽循環系３及び放熱器循環系５の双方が短絡することになるので、浴槽４６から膨張タンク８０への湯の流れ込みは生じない。
【００６１】
さらに、万一、第１切替弁８６が浴槽循環側と連通した状態で故障した場合には、浴槽４６、戻り管４２、第２熱交換器４４、往き管４０及び放熱器出水管８４が連通することとなるが、放熱器出水管８４には、逆止弁９８が設けられているため、膨張タンク８０への湯の逆流は、逆止弁９８により阻止される。
【００６２】
同様に、第１切替弁８６及び第２切替弁８８に対して、切替指令が発せられた後、バーナコントローラにより第２切替弁８８が故障したと判断された場合には、図４に示すように、バーナコントローラから第１切替弁８６に対して指令が送られ、第１切替弁８６は、浴槽循環側で強制待機させられる。
【００６３】
これにより、第２切替弁８８が浴槽循環側と連通した状態で故障した場合には、浴槽循環系３は、閉ループを形成するので、浴槽４６から膨張タンク８０への湯の流れ込みは生じない。また、第１切替弁８６が閉状態の位置で故障した場合も、浴槽循環系３及び放熱器循環系５の双方が短絡することになるので、浴槽４６から膨張タンク８０への湯の流れ込みは生じない。
【００６４】
さらに、万一、第２切替弁８８が放熱器循環側と連通した状態で故障した場合には、浴槽４６、戻り管４２、第２熱交換器４４、往き管４０及び放熱器出水管８４が連通することとなるが、放熱器出水管８４には、逆止弁９８が設けられているため、膨張タンク８０への湯の逆流は、逆止弁９８により阻止される。
【００６５】
なお、図３及び図４は、第１切替弁８６及び第２切替弁８８が、浴槽循環側から放熱器循環側に切り替えられる際に故障が発生した場合の切替弁の制御方法を示しているが、乾燥運転が終了後、切替弁を放熱器運転側から浴槽循環側に切り替える際に故障が発生した場合も同様に、図３（ｃ）又は図４に示すような制御を行えば、膨張タンク８０への湯の流入を阻止することが可能となる。
【００６６】
また、上述の説明では、バーナコントローラが故障と判断する原因として、切替弁が切替動作の途中で停止した場合を例にとって説明したが、それ以外にも、リミットスイッチ自体が故障して、ＯＮ、ＯＦＦ動作をしなくなった場合、あるいは、同一切替弁の双方のリミットスイッチが同時にＯＮした場合にも故障と判断し、上述のような制御を行っても良い。リミットスイッチが故障すると、切替弁の位置検出が不能となり、これを無視して切替弁を起動させると、浴槽の湯が膨張タンクに流入するような流路の接続がなされる可能性があるからである。
【００６７】
次に、本発明に係る給湯器において、第１電磁弁８６及び第２切替弁８８がどのように制御されるかを、図５Ａ及び図５Ｂに示すフローチャートを参照して説明する。まず初めに、第１切替弁８６（ＷＶ1）及び第２切替弁８８（ＷＶ2）が待機状態にある場合、すなわち、切替弁に対し、切替指示がなされていない状態について説明する。
【００６８】
まず、図５ＡのＳ１において、第２切替弁８８（ＷＶ2）について、「故障フラグ」が「１」か否かが判断される。「故障フラグ」とは、該当する切替弁が故障しているか否かを示す情報であり、故障している場合には「１」が記憶され、故障していない場合には「０」が記憶されているものである。ここでは、故障していないケースを考えているので（Ｓ１：ＮＯ）、そのままＳ２に進む。
【００６９】
Ｓ２では、同様に、第１切替弁８６ （ＷＶ1）について、「故障フラグ」が「１」か否かが判断される。この場合も、第１切替弁 ８６（ＷＶ1）が故障していないケースを考えている（Ｓ２：ＮＯ）ので、そのままＳ５に進む。
【００７０】
Ｓ５では、第２切替弁８８ （ＷＶ2）について、「浴槽循環側への切替指示（以下、「Ｂ側指示」という）」が「１」か否かが判断される。「Ｂ側指示」とは、浴槽循環側への切替指示が出されているか否かを示す情報であり、切替指示が出されている場合には「１」が記憶され、切替指示が出されていない場合には「０」が記憶されているものである。ここでは、切替弁は待機状態にあり、待機状態においては、切替弁に対してＢ側指示は出されない（Ｓ５：ＮＯ）ので、そのまま、Ｓ１６に進む。
【００７１】
Ｓ１６では、同様に、第２切替弁８８ （ＷＶ2）について、「放熱器循環側への切替指示（以下、「Ｋ側指示」という）」が「１」か否かが判断される。この場合も、待機状態であり、第２切替弁８８ （ＷＶ2）に対してＫ側指示は出されない（Ｓ１６：ＮＯ）ので、そのまま、図５ＢのＳ３１に進む。
【００７２】
Ｓ３１では、再度、第１切替弁８６ （ＷＶ1）について、「故障フラグ」が「１」か否かが判断されるが、ここでは、故障していないケースを考えているので（Ｓ３１：ＮＯ）、そのまま、Ｓ３２に進む。また、Ｓ３２では、再度、第２切替弁８８ （ＷＶ2）について、「故障フラグ」が「１」か否かが判断されるが、同様に故障していないケースを考えているので（Ｓ３２：ＮＯ）、そのままＳ３５に進む。
【００７３】
Ｓ３５では、第１切替弁８６ （ＷＶ1）について、「Ｂ側指示」が「１」か否かが判断されるが、ここでは待機状態であるので（Ｓ３５：ＮＯ）、Ｓ４６に進む。また、Ｓ４６では、第１切替弁８６ （ＷＶ1）について、「Ｋ側指示」が「１」か否かが判断されるが、同様に、待機状態であるので（Ｓ４６：ＮＯ）、そのまま図５ＡのＳ１に戻る。そして、切替弁に対して切替指示が出されるまで、上述のステップが繰り返される。
【００７４】
次に、使用者がリモコンに備えられた乾燥運転スイッチを押す等の操作を行うことにより、待機状態にある切替弁に対し、バーナコントローラから放熱器循環側への循環経路の切替指示が出された場合における、切替弁の切替制御について説明する。
【００７５】
まず、図５ＡのＳ１及びＳ２において、第２切替弁８８ （ＷＶ2）及び第１切替弁８６ （ＷＶ1）について、「故障フラグ」が「１」か否かが判断される。ここでは、故障していないケースを考えている（Ｓ１：ＮＯ、Ｓ２：ＮＯ）ので、そのままＳ５に進む。
【００７６】
Ｓ５では、第２切替弁８８ （ＷＶ2）について、「Ｂ側指示」が「１」か否かが判断されるが、ここでは、「Ｋ側指示」が出されている場合を考えている（Ｓ５：ＮＯ）ので、Ｓ１６に進む。また、Ｓ１６では、第２切替弁８８ （ＷＶ2）について「Ｋ側指示」が「１」か否かが判断され、この場合は、放熱器循環側への切替指示が出されているので（Ｓ１６：ＹＥＳ）、Ｓ１７に進む。
【００７７】
Ｓ１７では、第２切替弁８８ （ＷＶ2）の放熱器循環側リミットスイッチＫ（以下、「Ｋ側スイッチ」という）がＯＮしているか否かが判断される。切替指示が出された直後は、当然、Ｋ側スイッチはＯＦＦ状態であるので（Ｓ１７：ＮＯ）、Ｓ１８に進む。
【００７８】
Ｓ１８では、第２切替弁８８ （ＷＶ2）が、放熱器循環側方向（以下、「Ｋ方向」という）に駆動中であるか否かが判断される。切替指示が出された直後は、当然、第２切替弁８８ （ＷＶ2）は駆動していないので（Ｓ１８：ＮＯ）、Ｓ１９に進み、そこで、第２切替弁８８ （ＷＶ2）をＫ方向に駆動するよう、バーナコントローラから指示が送られる。また、Ｓ２０では、故障検出タイマーを起動して、第２切替弁８８（ＷＶ2）の動作時間（ｔWV2）の計測をスタートさせた後、図５ＢのＳ３１に進む。
【００７９】
Ｓ３１及びＳ３２では、第１切替弁８６（ＷＶ1）及び第２切替弁８８（ＷＶ2）について、「故障フラグ」が「１」か否かが判断されるが、ここでは、故障していないケースを考えているので（Ｓ３１：ＮＯ、Ｓ３２：ＮＯ）、そのまま、Ｓ３５に進む。
【００８０】
Ｓ３５では、第１切替弁８６（ＷＶ1）について、「Ｂ側指示」が「１」か否かが判断されるが、ここでは、「Ｋ側指示」出されている場合を考えている（Ｓ３５：ＮＯ）ので、Ｓ４６に進む。また、Ｓ４６では、第１切替弁８６ （ＷＶ1）について「Ｋ側指示」が「１」か否かが判断され、この場合は、放熱器循環側への切替指示が出されているので（Ｓ４６：ＹＥＳ）、Ｓ４７に進む。
【００８１】
Ｓ４７では、第１切替弁８６ （ＷＶ1）のＫ側スイッチがＯＮしているか否かが判断される。切替指令が出された直後は、当然、Ｋ側スイッチはＯＦＦ状態であるので（Ｓ１７：ＮＯ）、Ｓ４８に進む。
【００８２】
Ｓ４８では、第１切替弁８６ （ＷＶ1）が、Ｋ方向に駆動中であるか否かが判断される。切替指令が出された直後は、当然、第１切替弁８６ （ＷＶ1）は駆動していないので（Ｓ４８：ＮＯ）、Ｓ４９に進み、そこで、第１切替弁８６（ＷＶ1） をＫ方向に駆動するよう、バーナコントローラから指示が送られる。また、Ｓ５０では、故障検出タイマーを起動して、第１切替弁８６ （ＷＶ1）の動作時間 （ｔWV1）の計測をスタートさせた後、図５ＡのＳ１に戻る。
【００８３】
Ｓ１に戻ったところで、前述と同様に、Ｓ１から、Ｓ２、Ｓ５、Ｓ１６へと進み、Ｓ１７に至る。この段階では、第２切替弁８８ （ＷＶ2）は、未だＫ側スイッチはＯＮしていない（Ｓ１７：ＮＯ）が、駆動を開始した（Ｓ１８：ＹＥＳ）状態であるので、Ｓ８に進む。
【００８４】
Ｓ８では、前述のＳ２０において計測を開始した第２切替弁８８ （ＷＶ2）の動作時間（ｔWV2）が故障判定時間 （ＴNG）以上か否かが判断される。ここで、「故障判定時間」とは、前述したように、その時間内に目的位置のリミットスイッチがＯＮしなかった場合には故障したと判断する限界の時間であり、動作時間（ｔWV2）と故障判定時間 （ＴNG）とを比較することにより、切替弁自体が故障し、途中で停止した場合、及び目的位置のリミットスイッチが故障した場合の双方を検知することが可能となる。
【００８５】
切替弁は、錆びつき等、不可抗力により切替動作が遅れる場合もあるので、故障判定時間（ＴNG）は、給湯器に使用する切替弁の動作時間よりも余裕を持った値に設定しておくことが望ましい。例えば、動作時間が４．６±２．０秒である３方向ボールバルブを用いる場合には、故障判定時間（ＴNG）としては、２０秒程度が妥当である。
【００８６】
Ｓ８において、第２切替弁８８（ＷＶ2）の動作時間（ｔWV2）が故障判定時間（ＴNG）以上となった場合（Ｓ８：ＹＥＳ）には、少なくとも、第２切替弁８８（ＷＶ2）自体、又は第２切替弁８８（ＷＶ2）に備えられたＫ側スイッチのいずれかが故障していることを示しているので、Ｓ９において、第２切替弁８８（ＷＶ2）の「故障フラグ」として、「１」を記憶させた後、Ｓ１０に進む。
【００８７】
一方、第２切替弁８８（ＷＶ2）の動作時間（ｔWV2）が故障判定時間（ＴNG）未満である場合（Ｓ８：ＮＯ）には、第２切替弁８８ （ＷＶ2）が動作中であり、故障ではない可能性があるので、そのまま図５ＢのＳ３１に進む。
【００８８】
再度、Ｓ３１に進んだところで、前述と同様に、Ｓ３１から、Ｓ３２、Ｓ３５、Ｓ４６へと進み、Ｓ４７に至る。この段階では、第２切替弁８８ （ＷＶ2）と同様に、第１切替弁８６ （ＷＶ1）も、未だＫ側スイッチはＯＮしていない（Ｓ１７：ＮＯ）が、駆動を開始した（Ｓ４８：ＹＥＳ）状態であるので、Ｓ３８に進む。
【００８９】
Ｓ３８では、前述のＳ５０において計測を開始した第１切替弁８６ （ＷＶ1）の動作時間（ｔWV1）が故障判定時間 （ＴNG）以上か否かが判断される。そして、第１切替弁８６（ＷＶ1）の動作時間（ｔWV1）が故障判定時間（ＴNG）以上となった場合（Ｓ３８：ＹＥＳ）には、少なくとも、第１切替弁８６ （ＷＶ1）自体、又は第１切替弁８６ （ＷＶ1）に備えられたＫ側スイッチのいずれかが故障していることを示しているので、Ｓ３９において、第１切替弁８６ （ＷＶ1）の「故障フラグ」として、「１」を記憶させた後、Ｓ４０に進む。
【００９０】
なお、Ｓ３８で用いる故障判定時間（ＴNG）は、Ｓ８で用いる故障判定時間（ＴNG）と同一の値を用いる必要はなく、使用する切替弁の特性や給湯器の仕様等を考慮して、適宜最適な値を選択すればよい。
【００９１】
一方、第１切替弁８６（ＷＶ1）の動作時間（ｔWV1）が故障判定時間（ＴNG）未満である場合（Ｓ３８：ＮＯ）には、第１切替弁８６ （ＷＶ1）が動作中であり、故障ではない可能性があるので、そのまま図５ＡのＳ１に戻る。そして、第１切替弁８６（ＷＶ1）及び第２切替弁（ＷＶ2）に備えられたＫ側スイッチがＯＮするか、あるいは故障判定時間（ＴNG）が経過するまで、上述のステップが繰り返される。
【００９２】
そして、放熱器循環側への切替が完了した場合には、Ｓ１７において、第２切替弁８８ （ＷＶ2）のＫ側スイッチがＯＮしていると判断されるので（Ｓ１７：ＹＥＳ）、Ｓ２１に進む。Ｓ２１では、さらに、第２切替弁８８ （ＷＶ2）の浴槽循環側リミットスイッチＢ（以下、「Ｂ側スイッチ」という）がＯＮしているか否かが判断される。
【００９３】
この時、バーナコントローラはＫ側指示を出しているので、本来、Ｂ側スイッチがＯＮすることはないが、Ｂ側スイッチが故障している場合には、第２切替弁８８ （ＷＶ2）のＫ側スイッチとＢ側スイッチが同時にＯＮとなることがあり得る。その場合（Ｓ２１：ＹＥＳ）には、Ｓ９に進み、第２切替弁８８ （ＷＶ2）の「故障フラグ」に「１」を記憶させた後、Ｓ１０に進む。一方、Ｂ側スイッチが正常であれば、Ｂ側スイッチがＯＮすることはない（Ｓ２１：ＮＯ）ので、そのまま、Ｓ１０に進む。
【００９４】
Ｓ１０では、第２切替弁８８ （ＷＶ2）を停止するよう、バーナコントローラから指令が送られると共に、Ｓ１１及び１２において、それぞれ、第２切替弁８８ （ＷＶ2）に対する「Ｂ側指示」及び「Ｋ側指示」を「０」にリセットした後、図５ＢのＳ３１に進む。
【００９５】
Ｓ３１に進んだ後は、Ｓ３２、Ｓ３５及びＳ４６を経てＳ４７に至る。そして、Ｓ４７では、第１切替弁８６ （ＷＶ1）のＫ側スイッチがＯＮしていることが検知されるので（Ｓ４７：ＹＥＳ）、Ｓ５１に進む。Ｓ５１では、さらに、第１切替弁８６ （ＷＶ1）のＢ側スイッチがＯＮしているか否かが判断される。
【００９６】
第２切替弁８８ （ＷＶ2）の場合と同様に、Ｂ側スイッチが故障している場合には、Ｂ側スイッチがＯＮすることがあり得る（Ｓ５１：ＹＥＳ）ので、その場合は、Ｓ３９に進み、第１切替弁８６ （ＷＶ1）の「故障フラグ」に「１」を記憶させた後、Ｓ４０に進む。これに対し、Ｂ側スイッチが正常であれば、Ｂ側スイッチがＯＮすることはない（Ｓ２１：ＮＯ）ので、そのまま、Ｓ４０に進む。
【００９７】
Ｓ４０では、第１切替弁８６ （ＷＶ1）を停止させると共に、Ｓ４１及び４２において、それぞれ、第１切替弁８６ （ＷＶ1）に対する「Ｂ側指示」及び「Ｋ側指示」を「０」にリセットして、放熱器循環側への切替動作が終了し、放熱器循環系による浴室乾燥運転のための燃焼制御が実行される。
【００９８】
次に、乾燥運転終了後、循環経路を放熱器循環側から浴槽循環側への切替指示が出された場合における、切替弁の切替制御について説明する。ここでは、故障していないケースを考えているので、まず、Ｓ１からＳ２を経てＳ５に至る。また、ここでは、「Ｂ側指示」が出された場合を考えているので（Ｓ５：ＹＥＳ）、そのまま、Ｓ６に進む。
【００９９】
Ｓ６では、第２切替弁８８ （ＷＶ2）のＢ側スイッチがＯＮしているか否かが判断される。切替指示が出された直後は、当然、Ｂ側スイッチはＯＦＦ状態であるので（Ｓ６：ＮＯ）、Ｓ７に進む。また、Ｓ７では、第２切替弁８８ （ＷＶ2）が、浴槽循環側方向（以下、「Ｂ方向」という）に駆動中であるか否かが判断される。
【０１００】
切替指示が出された直後は、当然、第２切替弁８８ （ＷＶ2）は駆動していないので（Ｓ７：ＮＯ）、Ｓ１３に進み、そこで、第２切替弁８８ （ＷＶ2）のＢ方向への駆動を開始すると共に、Ｓ１４において、故障検出タイマーによる第２切替弁８８（ＷＶ2）の動作時間（ｔWV2）の計測をスタートさせた後、図５ＢのＳ３１に進む。
【０１０１】
Ｓ３１に進んだ後は、同様に、Ｓ３１からＳ３２を経てＳ３５に至り、Ｓ３５において、「Ｂ側指示」が出されたと判断されるので（Ｓ３５：ＹＥＳ）、Ｓ３６に進む。そして、第２切替弁８８ （ＷＶ2）の場合と同様、Ｓ３６において、第１切替弁８６ （ＷＶ1）のＢ側スイッチがＯＮしているか否かが判断されるが、切替指示が出された直後は、当然、Ｂ側スイッチはＯＦＦ状態であるので（Ｓ３６：ＮＯ）、Ｓ３７に進む。
【０１０２】
Ｓ３７では、第１切替弁８６ （ＷＶ1）が、Ｂ方向に駆動していないことが確認されるので（Ｓ３７：ＮＯ）、Ｓ４３に進み、そこで、第１切替弁８６（ＷＶ1） のＢ方向への駆動を開始すると共に、Ｓ４４において、故障検出タイマーによる第１切替弁８６（ＷＶ1）の動作時間（ｔWV1）の計測をスタートさせた後、図５ＡのＳ１に戻る。
【０１０３】
Ｓ１に戻ったところで、前述と同様に、Ｓ１から、Ｓ２、Ｓ５へと進み、Ｓ６に至る。この段階では、第２切替弁８８ （ＷＶ2）は、未だＢ側スイッチはＯＮしていない（Ｓ６：ＮＯ）が、駆動を開始した（Ｓ７：ＹＥＳ）状態であるので、Ｓ８に進む。
【０１０４】
そして、Ｓ８では、第２切替弁８８ （ＷＶ2）について、故障判定時間（ＴNG）が経過したか否かが判断され、故障判定時間（ＴNG）が経過している場合（Ｓ８：ＹＥＳ）には、Ｓ９において、第２切替弁８８ （ＷＶ2）の「故障フラグ」として、「１」を記憶させた後、Ｓ１０に進む。一方、故障判定時間（ＴNG）が経過していない場合（Ｓ８：ＮＯ）には、そのまま図５ＢのＳ３１に進む。
【０１０５】
再度、Ｓ３１に進んだところで、前述と同様に、Ｓ３１から、Ｓ３２、Ｓ３５へと進み、Ｓ３６に至る。この段階では、第２切替弁８８ （ＷＶ2）と同様に、第１切替弁８６ （ＷＶ1）も、未だＢ側スイッチはＯＮしていない（Ｓ３６：ＮＯ）が、駆動を開始した（Ｓ３７：ＹＥＳ）状態であるので、Ｓ３８に進む。
【０１０６】
そして、Ｓ３８では、第１切替弁８６（ＷＶ1）について、故障判定時間（ＴNG） が経過したか否かが判断され、故障判定時間（ＴNG）が経過している場合（Ｓ３８：ＹＥＳ）には、Ｓ３９において、第１切替弁８６ （ＷＶ1）の「故障フラグ」として、「１」を記憶させた後、Ｓ４０に進む。一方、故障判定時間（ＴNG）が経過していない場合（Ｓ３８：ＮＯ）には、そのまま図５ＡのＳ１に戻り、第１切替弁８６（ＷＶ1）及び第２切替弁（ＷＶ2）に備えられた、Ｂ側スイッチがＯＮするまで、上述のステップが繰り返される。
【０１０７】
そして、浴槽循環側への切替が完了した場合には、まず、Ｓ６において、第２切替弁８８ （ＷＶ2）のＢ側スイッチがＯＮしたと判断されるので（Ｓ６：ＹＥＳ）、Ｓ１５に進み、Ｓ１５において、さらに、第２切替弁８８ （ＷＶ2）のＫ側スイッチがＯＮしているか否かが判断される。
【０１０８】
Ｋ側スイッチがＯＮしている場合（Ｓ１５：ＹＥＳ）には、第２切替弁８８（ＷＶ2） のＫ側スイッチが故障していることを示しているので、Ｓ９に進み、第２切替弁８８ （ＷＶ2）の「故障フラグ」に「１」を記憶させると共に、Ｓ１０に進む。一方、Ｋ側スイッチがＯＮしていない場合（Ｓ１５：ＮＯ）は、そのままＳ１０に進み、そこで、第２切替弁８８ （ＷＶ2）を停止すると共に、Ｓ１１及び１２において、それぞれ、第２切替弁８８ （ＷＶ2）に対する「Ｂ側指示」及び「Ｋ側指示」を「０」にリセットした後、図５ＢのＳ３１に進む。
【０１０９】
Ｓ３１に進んだ後も同様に、Ｓ３１からＳ３２及びＳ３５を経てＳ３６に至る。そして、Ｓ３６において、第１切替弁８６ （ＷＶ1）のＢ側スイッチがＯＮしたと判断されるので（Ｓ３６：ＹＥＳ）、Ｓ４５に進み、Ｓ４５において、さらに、第１切替弁８６ （ＷＶ1）のＫ側スイッチがＯＮしているか否かが判断される。
【０１１０】
Ｋ側スイッチがＯＮしている場合（Ｓ４５：ＹＥＳ）には、第１切替弁８６（ＷＶ1） のＫ側スイッチが故障していることを示しているので、Ｓ３９に進み、第１切替弁８６ （ＷＶ1）の「故障フラグ」に「１」を記憶させると共に、Ｓ４０に進む。一方、Ｋ側スイッチがＯＮしていない場合（Ｓ４５：ＮＯ）は、そのままＳ４０に進み、そこで、第１切替弁８６ （ＷＶ1）を停止すると共に、Ｓ４１及び４２において、それぞれ、第１切替弁８６（ＷＶ1）に対する「Ｂ側指示」及び「Ｋ側指示」を「０」にリセットして、浴槽循環側への切替動作が終了し、待機状態に移行するものである。
【０１１１】
次に、切替弁の切替動作中に、第１切替弁８６ （ＷＶ1）が故障した場合における第２切替弁 ８８（ＷＶ2）の制御方法について説明する。前述のＳ４５又はＳ５１において、第１切替弁８６ （ＷＶ1）が故障したと判断された場合（Ｓ４５：ＹＥＳ、又はＳ５１：ＹＥＳ）には、Ｓ３９において、「故障フラグ」として「１」が記憶されると共に、Ｓ４０において、第１切替弁８６ （ＷＶ1）が停止され、さらにＳ４１及びＳ４２において、第１切替弁８６ （ＷＶ1）の「Ｂ側指示」及び「Ｋ側指示」が「０」にリセットされた後、図５ＡのＳ１に進む。
【０１１２】
そして、Ｓ１からＳ２に進み、そこで第１切替弁の「故障フラグ」が「１」か否かが判断されるが、この場合は、「１」が記憶されているので（Ｓ２：ＹＥＳ）、Ｓ３に進む。Ｓ３では、第２切替弁８８ （ＷＶ2）の「Ｂ側指示」を取り消し、Ｓ４において、「Ｋ側指示」に「１」を記憶させる。これにより、現在の給湯器の使用状態に関わらず、第２切替弁８８ （ＷＶ2）に対し、放熱器循環側で強制待機するよう指示が送られることとなる。
【０１１３】
次いで、Ｓ５に進み、第２切替弁８８ （ＷＶ2）の「Ｂ側指示」が「１」か否かが判断される。この場合、第２切替弁８８ （ＷＶ2）は、Ｓ３において「Ｂ側指示」を強制的に取り消されている（Ｓ５：ＮＯ）ので、Ｓ１６に進む。また、Ｓ１６では、第２切替弁８８ （ＷＶ2）の「Ｋ側指示」が「１」か否かが判断されるが、第２切替弁８８ （ＷＶ2）は、Ｓ４において放熱器循環側で強制待機するよう指示が出されている（Ｓ１６：ＹＥＳ）ので、Ｓ１７に進む。
【０１１４】
Ｓ１７では、第２切替弁８８ （ＷＶ2）のＫ側スイッチがＯＮしたか否かが判断される。ＯＮしていない場合（Ｓ１７：ＮＯ）は、Ｓ１８に進み、前述の手順に従い、第２切替弁８８ （ＷＶ2）が放熱器循環側に強制的に駆動させられる。
【０１１５】
一方、第２切替弁８８ （ＷＶ2）が初めから放熱器循環側にある場合、あるいは放熱器循環側への強制駆動が終了した場合には、Ｋ側スイッチがＯＮとなる（Ｓ１７：ＹＥＳ）ので、Ｓ２１に進む。そこでは、第２切替弁８８ （ＷＶ2）のＢ側スイッチがＯＮしているか否かが判断され、ＯＮしている場合（Ｓ２１：ＹＥＳ）は、双方の切替弁が故障していることになるので、Ｓ９に進み、第２切替弁８８ （ＷＶ2）に対しても、「故障フラグ」として「１」を記憶させる。
【０１１６】
ここでは、第２切替弁８８ （ＷＶ2）が故障していないケースを考えている（Ｓ２１：ＮＯ）ので、Ｓ１０に進み、そこで第２切替弁８８ （ＷＶ2）が停止されると共に、Ｓ１１及びＳ１２において、第２切替弁８８ （ＷＶ2）の「Ｂ側指示」及び「Ｋ側指示」が「０」にリセットされ、第２切替弁８８ （ＷＶ2）の放熱器循環側への強制待機動作が終了する。そして、故障リセット操作後、新たに切替指示が発生するまで、この位置で待機するものである。
【０１１７】
以上のように、本発明によれば、第１切替弁８６ （ＷＶ1）が故障した場合には、第２切替弁８８ （ＷＶ2）が放熱器循環側で強制待機させられることとなるので、第１切替弁８６ （ＷＶ1）がどのような位置で停止した場合であっても、浴槽４６から膨張タンク８０への湯の流入を阻止することが可能となる。
【０１１８】
次に、切替弁の切替動作中に、第２切替弁８８ （ＷＶ2）が故障した場合における第１切替弁８６ （ＷＶ1）の制御方法について説明する。前述のＳ１５又はＳ２１において、第２切替弁８８ （ＷＶ2）が故障したと判断された場合（Ｓ１５：ＹＥＳ、又はＳ２１：ＹＥＳ）には、Ｓ９において、「故障フラグ」として「１」が記憶されると共に、Ｓ１０において、第２切替弁８８ （ＷＶ2）が停止され、さらにＳ１１及びＳ１２において、第２切替弁８８ （ＷＶ2）の「Ｂ側指示」及び「Ｋ側指示」を「０」にリセットされた後、図５ＢのＳ３１に進む。
【０１１９】
そして、Ｓ３１からＳ３２に進み、そこで第２切替弁の「故障フラグ」が「１」か否かが判断されるが、この場合は、「１」が記憶されているので（Ｓ３２：ＹＥＳ）、Ｓ３３に進み、そこで、第１切替弁８６ （ＷＶ1）の「Ｋ側指示」を取り消し、Ｓ３４において、「Ｂ側指示」に「１」を記憶させる。これにより、現在の給湯器の使用状態に関わらず、第１切替弁８６ （ＷＶ1）に対し、浴槽循環側で強制待機するよう指示が送られることとなる。
【０１２０】
次いで、Ｓ３５に進み、第１切替弁８６ （ＷＶ1）の「Ｂ側指示」が「１」か否かが判断される。この場合、第１切替弁８６ （ＷＶ1）は、Ｓ３４において、浴槽循環側で強制待機するよう指示が送られている（Ｓ３５：ＹＥＳ）ので、Ｓ３６に進む。
【０１２１】
Ｓ３６では、第１切替弁８６ （ＷＶ1）のＢ側スイッチがＯＮしたか否かが判断される。ＯＮしていない場合（Ｓ３６：ＮＯ）は、Ｓ３７に進み、前述の手順に従い、第１切替弁８６ （ＷＶ1）が浴槽循環側に強制的に駆動させられる。
【０１２２】
一方、第１切替弁８６ （ＷＶ1）が初めから浴槽循環側にある場合、あるいは浴槽循環側への強制駆動が終了した場合には、Ｂ側スイッチがＯＮとなる（Ｓ３６：ＹＥＳ）ので、Ｓ４５に進む。そこでは、第１切替弁８６ （ＷＶ1）のＫ側スイッチがＯＮしているか否かが判断され、ＯＮしている場合（Ｓ４５：ＹＥＳ）は、双方の切替弁が故障していることになるので、Ｓ３９に進み、第１切替弁８６（ＷＶ1） に対しても、「故障フラグ」として「１」を記憶させる。
【０１２３】
ここでは、第１切替弁８６ （ＷＶ1）が故障していないケースを考えている（Ｓ４５：ＮＯ）ので、Ｓ４０に進み、そこで第１切替弁８６ （ＷＶ1）を停止させると共に、Ｓ４１及びＳ４２において、第１切替弁８６ （ＷＶ1）の「Ｂ側指示」及び「Ｋ側指示」が「０」にリセットされ、第１切替弁８６ （ＷＶ1）の浴槽循環側への強制待機動作が終了する。そして、故障リセット操作後、新たに切替指示が発生するまで、この位置で待機するものである。
【０１２４】
以上のように、本発明によれば、第２切替弁８８ （ＷＶ2）が故障した場合には、第１切替弁８６ （ＷＶ1）が浴槽循環側で強制待機させられることとなるので、第２切替弁８８ （ＷＶ2）がどのような位置で停止した場合であっても、浴槽４６から膨張タンク８０への湯の流入を阻止することが可能となる。
【０１２５】
なお、上記実施のフローチャートにおいて、故障判断手段は、Ｓ１、Ｓ２、Ｓ９、Ｓ１５、Ｓ２１、Ｓ３１、Ｓ３２、Ｓ３９、Ｓ４５、及びＳ５１のステップに該当し、放熱器循環側強制待機手段はＳ３〜Ｓ４のステップに該当し、浴槽循環側強制待機手段は、Ｓ３３〜Ｓ３４のステップに該当する。
【０１２６】
以上、本発明の実施の形態について詳細に説明したが、本発明は、上記実施の形態に何ら限定されるものではなく、本発明の要旨を逸脱しない範囲で種々の改変が可能である。例えば、上記実施の形態では、切替弁として、動作時間が４．６±２．０秒の３方向ボールバルブを用いているが、これに限定されるものではなく、さらに動作時間の短いボールバルブや、電磁弁を用いても良く、これにより上記実施の形態と同様の効果が得られる。
【０１２７】
また、上記実施の形態では、浴室乾燥運転用の放熱器循環系を備えた給湯器の場合について説明したが、放熱器の用途には、何ら限定されるものではなく、暖房用の放熱器循環系を備えた給湯器、あるいは浴室乾燥運転用の放熱器循環系及び暖房用の放熱器循環系の双方を備えた給湯器であっても良い。さらにまた、一般給湯系を有しない風呂システムに対して本発明を適用しても良く、これにより上記実施の形態と同様の効果が得られるものである。
【０１２８】
【発明の効果】
本発明の給湯器によれば、浴槽循環系と放熱器循環系の分岐部及び合流部には、それぞれ第１切替弁及び第２切替弁を設け、かつ前記放熱器循環系に備えられた膨張タンクと前記第２切替弁の間に逆止弁を設けると共に、第１切替弁が故障した場合には第２切替弁を放熱器循環側で強制待機させ、第２切替弁が故障した場合には第１切替弁を浴槽循環側で強制待機させるようにしたので、切替弁の一方が故障した場合であっても、浴槽から膨張タンクへの湯の流入を阻止できるという効果がある。
【０１２９】
また、切替弁の故障判断手段として、切替動作開始後、所定時間内に目的位置のリミットスイッチがＯＮとならない場合には故障したと判断するようにしたので、切替弁が動作途中で停止した場合のみならず、リミットスイッチの故障を速やかに検知できるという効果がある。
【０１３０】
また、切替弁の故障判断手段として、第１切替弁又は第２切替弁のいずれか一方に設けられている浴槽循環側リミットスイッチ及び放熱器循環側リミットスイッチの双方が同時にＯＮとなった場合には故障と判断するようにしたので、リミットスイッチの故障を速やかに検知できるという効果がある。
【０１３１】
以上のように、本発明によれば、切替弁の一方が故障した場合には、他方の切替弁を適正な位置に強制待機させることにより、浴槽から膨張タンクへの湯の逆流を確実に防止できるようにしたので、浴槽を２階に設置した場合であっても、安心して使用でき、給湯器の使用感を格段に向上させるものであり、産業上、その効果の極めて大きい発明である。
【図面の簡単な説明】
【図１】本発明が適用される給湯器の概略構成図である。
【図２】本発明が適用される給湯器の切替弁として用いられる３方向ボールバルブの動作を説明するための図である。
【図３】本発明に係る給湯器で実施される第１切替弁が故障した際の第２切替弁の待機動作を示す図である。
【図４】同じく、本発明に係る給湯器で実施される第２切替弁が故障した際の第１切替弁の待機動作を示す図である。
【図５Ａ】本発明に係る切替弁の制御を実行するための制御フローチャートを示す。
【図５Ｂ】図５Ａに示す制御フローチャートの続きである。
【図６】従来の給湯器で実施されている、故障時における切替弁の動作を示す図である。
【符号の説明】
１  給湯器
３  浴槽循環系
５  放熱器循環系
４０  往き管
４２  戻り管
４４  第２熱交換器
４６  浴槽
８０  膨張タンク
８２  放熱器入水管
８４  放熱器出水管
８６  第１切替弁
８８  第２切替弁
９６  放熱器
９８  逆止弁
【図１】
0003801338.tif 000002
【図２】
0003801338.tif 000003
【図３】
0003801338.tif 000004
【図４】
0003801338.tif 000005
【図５Ａ】
0003801338.tif 000006
【図５Ｂ】
0003801338.tif 000007
【図６】
0003801338.tif 000008